(57)【要約】光学デバイスの不正使用の選択的抑制システム。説明のための実施形態では、上記システムは光学デバイス再生および複製防止システムを実施し、光ディスクのピット構造で符号化されるデータの第１組を含む。ディスクドライブなどの読み取りシステムは、データの第１組を読み取ることに適応する読み取りレーザを含む。ディスク上または内部に配置される第１の材料は、超音波など第１既定エネルギーに応じ、読み取りレーザ光への透明性を変える。ディスク上または内部に配置される第２の材料は、第２既定エネルギーに応じ、レーザ光への透明性を一時的に変える。第１および第２の物質の透明性の変化が、読み取りシステムに対するデータの第１組のアクセス可能性を変える。上記アクセス可能性に基づき、読み取りシステムによる光ディスクの読み取り、再生、および／または複製を有効または無効にする、読み取りシステムが実行可能な命令を上記システムはさらに含む。【選択図】図１
2009506473.tif 000002
【特許請求の範囲】
【請求項１】
光ディスクの不正使用を抑制するためのシステムであって、
前記光ディスクのピット構造によって符号化される第１のデータと、
少なくとも１つのレーザ光を使用することによって、前記第１のデータを読み取るように適応される読み取りシステムと、
前記ディスク上または内部に配置される第１の材料と、その場合、前記第１の材料は、第１の既定エネルギーに応じて、レーザ光に対する透過率を変化させるように適応されることと、
前記ディスク上または内部に配置される第２の材料と、その場合、前記第２の材料は、第２の既定エネルギーに応じて、レーザ光に対する透過率を一時的に変化させるように適応され、その場合、前記第１の材料および前記第２の材料の透過率における変化は、前記読み取りシステムに対する前記第１のデータのアクセス可能性を選択的に変化させることと、
前記読み取りシステムに対する前記第１のデータの前記アクセス可能性に基づいて、前記光ディスクに関連する既定の機能性を有効または無効にするための命令と
を含む、前記システム。
【請求項２】
前記レーザ光が前記第２の材料の透過率を変化させる前に、前記第１の既定エネルギーを前記第１の材料に加えるための第１の手段
をさらに含む、請求項１のシステム。
【請求項３】
前記第１の材料は、前記第１の既定エネルギーに応じて、透明性を恒久的に変化させる、請求項２のシステム。
【請求項４】
前記第１の既定エネルギーは、
超音波
を含む、請求項１のシステム。
【請求項５】
前記第２の既定エネルギーは、
ディスク読み取り装置の読み取りレーザからの光エネルギー
を含む、請求項１のシステム。
【請求項６】
前記既定の機能性は、
前記光ディスクからのコンテンツの再生
を含む、請求項１のシステム。
【請求項７】
前記既定の機能性は、
前記光ディスクからのコンテンツの複製
を含む、請求項１のシステム。
【請求項８】
データ記憶媒体の使用を抑制するまたは有効にするためのシステムであって、
前記データ記憶媒体に隣接する材料と、前記材料は、あるエネルギーが加わることに応じて第１の状態から第２の状態へ一時的に変化する性質を特徴とすることと、
データ記憶媒体によって記憶されるデータと、
前記材料の前記性質に基づいて、前記データの読み取りに選択的に影響を与えるための第１の手段と
を含む、前記システム。
【請求項９】
前記材料はデータ記憶媒体上に配置される、請求項８のシステム。
【請求項１０】
前記材料は前記データ記憶媒体に近接する、請求項８のシステム。
【請求項１１】
前記材料は前記データ記憶媒体の内部にある、請求項８のシステム。
【請求項１２】
前記データ記憶媒体は、
光ディスク
を含む、請求項８のシステム。
【請求項１３】
前記光ディスクがディスクドライブによって第１のレートで読み取られる場合には、前記材料は第１の光学特性を示し、また前記光ディスクが前記ディスクドライブによって第２のレートで読み取られる場合には、前記材料は第２の光学特性を示す、請求項１２のシステム。
【請求項１４】
前記第１の手段は、
前記第１の光学特性または前記第２の光学特性に基づいて、前記光ディスクからのデータの読み取りを抑制するための１つまたはそれ以上の命令
を含む、請求項１３のシステム。
【請求項１５】
前記第１の光学特性は不透明性であり、前記第２の光学特性は透明性である、請求項１４のシステム。
【請求項１６】
前記第１の手段は、
オーサリング符号
を含む、請求項１２のシステム。
【請求項１７】
前記オーサリング符号は、
読み取りシステムの読み取りレーザに、前記材料がその上または内に配置されるよう意図される前記光ディスクの既定の領域から読み取らせるための命令と、前記材料が前記光ディスク上または内の既定の領域に配置されている場合には、第１の信号を提供するための命令と、前記材料が前記光ディスク上または内の既定の領域に配置されていない場合には、第２の信号を提供するための命令と
を含む、請求項１６のシステム。
【請求項１８】
前記読み取りシステムのコントローラは、前記読み取りシステムに、前記第１の信号に応じて第１の挙動を示させ、また前記第２の信号に応じて第２の挙動を示させるように適応される、請求項１７のシステム。
【請求項１９】
前記第１の挙動は、
前記光ディスク上に記憶されるファイルの間をスキップする前記読み取りレーザ
を含む、請求項１８のシステム。
【請求項２０】
前記第１の挙動は、
前記光ディスクを既定のレートで回転させること
を含む、請求項１８のシステム。
【請求項２１】
前記第２の挙動に応じて、前記光ディスクをロックするように適応されるディスクロッキング符号
をさらに含む、請求項１８のシステム。
【請求項２２】
データ記憶媒体からのコンテンツの再生または複製を選択的に有効にするためのシステムであって、
前記データ記憶媒体上または内に配置される第１の材料と、
前記データ記憶媒体上または内に配置される第２の光学的一時性材料と、
前記コンテンツの再生または複製を選択的に抑制するために、前記第１の材料および前記第２の材料を使用するための第１の手段と
を含む、前記システム。
【請求項２３】
光ディスクの読み取り、再生、または複製を選択的に有効にするためのシステムであって、
ある材料の存在を検証するために前記光ディスク上または内の既定の領域を観察し、それに応じて信号を提供するための第１の手段と、
前記信号に応じて、前記光ディスクの読み取り、再生、または複製を選択的に防止するための第２の手段と
を含む、前記システム。
【請求項２４】
前記ある材料は、
既定エネルギーが加えられた後に変化する一時的な光学的性質を示す材料
を含む、請求項２３のシステム。
【請求項２５】
前記既定エネルギーは、
前記材料に当てられるレーザ光
を含む、請求項２４のシステム。
【請求項２６】
前記一時的な光学的性質における変化は、前記光ディスクによって記憶されるデータの読み取り可能性または再生可能性に影響を与える、請求項２５のシステム。
【請求項２７】
光ディスクのある使用を選択的に有効にするための方法であって、
前記光ディスク上の既定の領域を読み取り、第１の結果を得るように、付随の光ディスクドライブに命令するために、光ディスクからのある符号を自動的に使用することと、
既定の遅延後、前記既定の領域を１回またはそれ以上の回数追加で読み取るように、前記光ディスクドライブに命令して、第２の結果を得ることと、
前記第１の結果と前記第２の結果とを比較して、それに応じて信号を提供することと、
前記信号に基づいて、前記光ディスクの前記ある使用を有効にすることと
を含む、前記方法。
【請求項２８】
前記ある使用は、
前記光ディスク内または上に記憶されるコンテンツの再生または複製
を含む、請求項２７の方法。
【請求項２９】
データ記憶媒体の使用を選択的に抑制するまたは有効にするためのシステムであって、
前記データ記憶媒体内または上に配置される第１の材料と、前記第１の材料は、読み取りシステムが光ディスク内のピットをどのように読み取るかを、一時的に変化させるように適応されることと、
前記変化に反応性をもち、また前記データ記憶媒体によって記憶されるデータの再生および／または複製に選択的に影響を与えるように適応される第１の機構と
を含む、前記システム。
【請求項３０】
前記データ記憶媒体は、
光ディスク
を含む、請求項２９のシステム。
【請求項３１】
前記第１の材料は、
光学的一時性材料
を含む、請求項３０のシステム。
【請求項３２】
既定の時間使用されることが可能である光ディスクであって、
前記光ディスクに含まれるピットによって記憶されるデータと、
前記光ディスク上または内に選択的に配置される材料と、前記材料は、前記読み取りシステムに関連する読み取りレーザからの既定の暴露に応じて、第１の状態から第２の状態へ一時的に変化する性質をもつことと
を含む、光ディスク。
【請求項３３】
第１のデータを表すパターン化ピット構造をもつ前記ディスク上または内に配置される第１の材料と、
前記ディスク上または内に配置される第２の材料と、前記材料は、第２のデータを記憶することと
を含む、光ディスク。
【請求項３４】
前記第２の材料は、
感光材
を含む、請求項３３の光ディスク。
【請求項３５】
前記第２の材料は、振動エネルギーに反応して、前記パターン化ピット構造の解釈を変える材料を含む、請求項３３の光ディスク。
【請求項３６】
前記第２の材料は、電磁エネルギーに反応して、前記パターン化ピット構造の解釈を変える材料を含む、請求項３３の光ディスク。
【請求項３７】
前記第２の材料は、
光学的一時性染料、色素、またはインク
を含む、請求項３４の光ディスク。
【請求項３８】
前記第２の材料は、前記光ディスク上または内に既定のパターンで配置され、前記既定のパターンは、前記第２のデータのいくつかまたは全部を表す、請求項３４の光ディスク。
【請求項３９】
前記材料の１つまたはそれ以上の性質は、前記第２のデータのいくつかまたは全部を表す、請求項３４の光ディスク。
【請求項４０】
前記第２のデータは、
前記光ディスクが真正であるかどうかを判定するための認証情報
を含む、請求項３９の光ディスク。
【請求項４１】
光ディスクからのコンテンツの複製を選択的に抑制するための方法であって、
光学的一時性材料を前記ディスクの既定の領域上に配置することと、
活性化ソフトウェアを前記ディスク上に含むことと、前記活性化ソフトウェアは、前記光学的一時性材料に関連する前記ディスクの領域を観察するように適応されることと
を含む前記方法。
【請求項４２】
前記活性化ソフトウェアは、前記ディスクを既定のレートで回転させ、前記ディスクの既定の領域を観察するように適応される、請求項４１の方法。
【請求項４３】
ソフトウェアの前記活性化は、前記既定の領域における前記データを観察するように、および前記データに基づいて、前記ディスクの複製を選択的に無効にするように適応される、請求項４２の方法。
【請求項４４】
前記データは、前記光学的一時性材料の一時的な光学的性質に基づいて変化する、請求項４３の方法。
【発明の詳細な説明】
【技術分野】
【０００１】
本発明は、広く機能有効化システムに関し、より具体的には、光学および電子デバイスやデータ記憶媒体のようなデバイスの不正使用を選択的に防止するためのシステムおよび方法に関する。
【背景技術】
【０００２】
あるデバイス機能の不正使用を防止するためのシステムは、認証、盗難防止、および複製防止の用途を含む様々な難しい用途に使用される。データ記憶媒体のコンテンツの不正再生および複製がよく起こり、上記システムは、データ記憶媒体へ特に適用可能である。
【０００３】
データ記憶媒体の例には、コンパクトディスク（Ｃｏｍｐａｃｔ  Ｄｉｓｃｓ：ＣＤｓ）、デジタルビデオディスク（Ｄｉｇｉｔａｌ  Ｖｉｄｅｏ  Ｄｉｓｃｓ：ＤＶＤｓ）、ブルーレイディスク（Ｂｌｕ‐ｒａｙ  ｄｉｓｃｓ）、電気的消去・プログラム可能読み取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｉｅｓ：ＥＥＰＲＯＭｓ）、セキュアデジタル（Ｓｅｃｕｒｅ  Ｄｉｇｉｔａｌ：ＳＤ）カード、ハードドライブ、ランダムアクセスメモリ（Ｒａｎｄｏｍ  Ａｃｃｅｓｓ  Ｍｅｍｏｒｉｅｓ：ＲＡＭｓ）、相補型金属酸化シリコン（Ｃｏｍｐｌｉｍｅｎｔａｒｙ  Ｍｅｔａｌ  Ｏｘｉｄｅ  Ｓｉｌｉｃｏｎ：ＣＭＯＳ）メモリが含まれるが、それらに限定されるものではない。スマートカード、デスクトップコンピュータ、カメラ、ＣＤおよびＤＶＤ再生装置等を含む様々な装置に、このようなデータ記憶媒体はしばしば使用される。
【０００４】
従来、盗難ＣＤおよびＤＶＤの再生のようなデバイスの不正使用を防止するために、特別な梱包がしばしば使用される。その梱包は、しばしばかさばるが、購入の際に無効化される無線ＩＣタグ（Ｒａｄｉｏ  Ｆｒｅｑｕｅｎｃｙ  Ｉｄｅｎｔｉｆｉｃａｔｉｏｎ  Ｔａｇ：ＲＦＩＤ）を含む。ＲＦＩＤタグの無効化はまた警報音発報機能も無効化する。さもなければその機能は、小売店のような商品販売アウトレットを顧客が出るときに警報音を鳴らすであろう。
【０００５】
残念ながら、窃盗犯はこのようなタグに直ちに気がつき、取り外す可能性がある。さらに、このような梱包および関連するＲＦＩＤタグは製品コストを増大させる場合があり、さらには無効化後も望ましくない高周波（ｒａｄｉｏ  ｆｒｅｑｕｅｎｃｉｅｓ）を発する場合がある。
【０００６】
代替として、ＣＤまたはＤＶＤは特別なインクでコーティングを施す。そのインクは酸素に暴露されると徐々に黒ずみ、結果的にＣＤまたはＤＶＤを再生不能または複製不能にする。残念ながら、これらのインクまたは色素の使用はデバイスの正当な使用を制限する。その結果、これらのインクおよび色素の使用はしばしばデバイスレンタルの用途に限定される。さらに、ひとたびディスクが購入またはレンタルされると、このようなインクおよび色素は、典型的にそのディスクコンテンツの複製を防止できない。
【発明の開示】
【０００７】
（優先権の主張）
本発明は、米国特許仮出願第６０／７１１１７８号、発明の名称ＡＮＴＩ‐ＳＨＲＩＮＫ‐ＣＯＰＹ  ＰＲＯＴＥＣＴＩＯＮ  ＰＲＯＤＵＣＴ（抗圧縮複製保護製品）、２００５年８月２４日出願、からの優先権を主張し、本出願においては、ここで当該仮出願全体を参考文献として組み入れるものとする。
【０００８】
本発明のある好ましい実施形態は、光ディスクの不正使用を選択的に抑制するためのシステムを実施する。具体的な実施形態において、このシステムは光ディスクの不正再生および複製を防止する。このシステムは、光ディスクのピット構造により符号化されるデータの第１組を含む。読み取りシステムは読み取りレーザを含み、データの第１組がこの読み取りシステムにさらされるとき、読み取りシステムはデータの第１組を読み取るように適応される。ディスク上または内部に配置される第１の材料は、超音波のような第１の既定エネルギーに応じて、読み取りレーザからのレーザ光に対する透明性を恒久的に変化させる。ディスク上または内部に配置される第２の材料は、読み取りレーザからのエネルギーのような第２の既定エネルギーに応じて、レーザ光に対する透明性を一時的に変化させる。第１の材料および第２の材料の透明性の変化は、読み取りシステムに対するデータの第１組のアクセス可能性を選択的に変化させる。読み取りシステムに対する第１のデータのアクセス可能性に基づき、読み取りシステムによる光ディスクの読み取り、再生、および／または複製を有効または無効にするための、読み取りシステムにより実行可能な命令を、このシステムはさらに含む。
【０００９】
第１の材料は、ディスクの購入の際に、第１の既定エネルギーを発生させる装置を介すなどして、活性化可能である。盗難光ディスクは、第１の既定エネルギーを発生させるように設計される特別な装置を介して活性化されるまで、操作不能とすることが可能である。ユーザがディスクを高速で複製しようとするようなときでも、第２の材料が読み取りレーザによって十分に変化して、光ディスクを無効にする、または読み取りシステムをロックすることが可能である。ディスクが低速で再生されるようなときでも、第１の材料の透明性の変化が光ディスクの無効化または読み取りシステムのロックを引き起こさないように、第２の材料は構成可能である。光ディスクに第２の材料の存在が欠如する場合、データの第１の組は、光ディスクまたは読み取りシステムを無効にする命令を含む。
【００１０】
説明に用いる実施形態において、このシステムは、データ記憶媒体からのコンテンツの再生または複製を選択的に有効にするためのシステムを実施する。そのシステムは、データ記憶媒体上または内部に配置される第１の材料を含む。第２の光学的一時性材料がデータ記憶媒体上または内部に配置される。第１の機構が、第１の材料および第２の材料を使用し、コンテンツの再生または複製を選択的に抑制する。
【００１１】
ゆえに、本発明の実施形態は、ＣＤ‐ＲＯＭまたはＤＶＤのような光ディスクからのコンテンツの不正再生および複製の両方を防止可能である。かかる実施形態は、光ディスクの物理的な盗難を抑制し、またコンテンツを複製してばらまくことを通して起こり得るコンテンツの盗難を抑制する。第１および第２の材料の使用は、以下でより完全に説明されるように、それぞれ染料システム３５１および染料システム３４９によって実施されるのであるが、その第１および第２の材料の使用は、従来のセキュリティ梱包に関連するコストを削減することができる。
【発明を実施するための最良の形態】
【００１２】
本発明は、同時係属中の米国特許出願第１１／４１０４７８号、発明の名称ＳＹＳＴＥＭ  ＡＮＤ  ＭＥＴＨＯＤ  ＦＯＲ  ＳＥＬＥＣＴＩＶＥＬＹ  ＥＮＡＢＬＩＮＧ  ＯＲ  ＤＩＳＡＢＬＩＮＧ  ＡＮ  ＯＰＴＩＣＡＬ  ＤＥＶＩＣＥ（光学デバイスの選択的有効化または無効化のためのシステムおよび方法）、２００６年４月２４日出願、に関連しており、本出願においては、ここで当該出願全体を参考文献として組み入れるものとする。
【００１３】
コンピュータ、電源、ディスク製造装置、ディスクドライブモータ等のような、各種の周知のコンポーネントは、明確にするために図面においては省略されている。しかし、本開示を閲覧する当業者は、任意の用途の必要性を満たすには、どのコンポーネントをどのように実施すれば良いのかわかるであろう。
【００１４】
２つの感エネルギー材１４、１６を使用する本発明の第１の実施形態に従って、光ディスク１２の不正使用を選択的に抑制するためのシステム１０を、図１は示す。第１の感エネルギー材１４を活性化するための活性化システム１８と、第２の感エネルギー材１６を選択的に活性化するために、ディスク１２の螺旋トラック（ｓｐｉｒａｌ  ｔｒａｃｋ）２２を読み取るための読み取りシステムとを、システム１０はさらに含む。説明のため、第２の感エネルギー材１６は、ディスク１２の外側部分の周りに同心円状に配置されているように示されている。この具体的な実施形態において、以下でより完全に説明されるように、感エネルギー材１４、１６の両方は、ディスク１２の読み取り面近傍に配置されている。光ディスク１２のような光ディスクの読み取り面は、光ディスクによって記憶されるデータを読み取りシステムのレーザが観察するために通過するディスクの表面である場合がある。
【００１５】
読み取りシステム２０は、ディスクドライブコントローラ２４と通信している読み取りレーザシステム２２をさらに含む。ディスクドライブコントローラ２４は、オーサリング（ａｕｔｈｏｒｉｎｇ）ソフトウェア２６およびディスクロッキング（ｄｉｓｃ‐ｌｏｃｋｉｎｇ）ソフトウェア２８と通信し、それらのソフトウェアは、活性化システム１８によって第１の感エネルギー材１４が活性化されたとき、およびディスク１２が読み取りシステム２０へ挿入される後、読み取りシステム２０のメモリ３０へ自動的にロードされる。読み取りシステム２０は、本発明の範囲を逸脱することなく、従来のディスク再生装置、複製装置、および／または書き込み装置によって実施可能である。
【００１６】
読み取りレーザシステム２２を制御するための制御アルゴリズムおよび付随のアクチュエータを、ドライブコントローラ２４は含むことができる。読み取りレーザシステム１８は、１つまたはそれ以上の光学ピックアップ、デジタル／アナログ変換機（Ｄｉｇｉｔａｌ‐ｔｏ‐Ａｎａｌｏｇ  Ｃｏｎｖｅｒｔｅｒ：ＤＡＣ）、増幅器等を含むことができる。読み取りシステム２０のようなディスク読み取り装置は、ディスクからの情報にアクセスするように適応されるいかなるデバイスであっても良い。ゆえに、本説明のために、ディスク複製装置およびディスク再生装置は、同様にディスク読み取り装置でもあると見なされる。
【００１７】
光ディスク１２は、縮尺どおりに示されてはいないが、螺旋トラック１４を含み、その螺旋トラック１４は、策略的にピットがつけられており、感エネルギー材１４、１６が適切に活性化されている場合、読み取りシステム２０によって読み取り可能な情報を符号化している。読み取りレーザシステム１８は、読み取りレーザビーム３２を発生させ、その読み取りレーザビーム３２は、トラック２４に含まれるパターン化されたピットおよびランド３４に反射する。反射光のパターンは、読み取りシステム２０または付随のコンピュータによって使用され、ピットおよびランド３４によって符号化された情報が復号される。説明のために、光ディスク１２は光学バーストカッティングエリア３６をさらに含むように示されており、その光学バーストカッティングエリア３６は、コンテンツ保護符号を含むトラック２２の部分を含むことができる。符号は、いかなるハードウェアまたはソフトウェア命令であっても良い。
【００１８】
本説明のために、ピットとは、ディスク１２のような光ディスクの層における窪みを表し得るものであり、レーザビーム３２のような読み取りレーザビームからの光の吸収および／または破壊的干渉（ｄｅｓｔｒｕｃｔｉｖｅ  ｉｎｔｅｒｆｅｒｅｎｃｅ）をもたらす。ランドとは、読み取りレーザビームからの光を反射する同じ層の部分を表し得るものである。光ディスクのピットおよびランドを実施する層は、アルミニウムのような金属製である場合がある。
【００１９】
感エネルギーインク、染料、または色素のような感エネルギー材は、光エネルギー、振動エネルギー、または音響エネルギーのようなエネルギーが加えられることで、色または透過率のような性質を変化させるいかなる材料であっても良い。光エネルギーは、紫外線、高周波、およびそれらの間の電磁スペクトルの一部のうち、いかなるエネルギーであっても良い。
【００２０】
あるエネルギービームに対するある材料の透過率は、その材料の性質であり、そのエネルギービームからのエネルギーが、どのくらいの量その材料を透過するかを決定するものである。例えば、透明な材料は高い透過率をもつであろうし、一方で不透明または反射性材料は、透過率が零である場合、または可変透過率をもつ場合がある。
【００２１】
必要に応じて、光学デバイスは、光エネルギーを使用して機能するいかなるデバイスまたは媒体であっても良い。光ディスクは、例えば光エネルギーのような電磁エネルギーが選択的に加えられることで、データを記憶、提供、および／または書き換えを行うために使用されるいかなる光学デバイスでも良い。光ディスクは、光エネルギーのような電磁エネルギーのビームを使用することで、光ディスクからデータを読み取ること、および／または光ディスクへデータを書き込むことが可能である。光ディスクの例には、デジタルビデオディスク（ＤＶＤｓ）、コンパクトディスク（ＣＤｓ）、ＣＤレコーダブル（ＣＤ  Ｒｅｃｏｒｄａｂｌｅ：ＣＤＲ）媒体、ＣＤ読み／書き（ＣＤ  Ｒｅａｄ／Ｗｒｉｔｅ：ＣＤＲＷ）媒体、ブルーレイディスク、高密度（Ｈｉｇｈ‐Ｄｅｎｓｉｔｙ：ＨＤ）ディスク、光メモリーカード、クレジットカード、加入者識別モジュール（Ｓｕｂｓｃｒｉｂｅｒ  Ｉｄｅｎｔｉｔｙ  Ｍｏｄｕｌｅ：ＳＩＭ）カード等が含まれるが、それらに限定はされるものではない。ビーム発生装置は、超音波、赤外線、またはレーザエネルギーのようなエネルギーのビームを発生可能であるいかなる装置であっても良い。
【００２２】
光学媒体に記憶されるデータは、いかなる適当な物理効果によっても良く、いかなるデータフォーマットで組まれていても良い。例えば、従来のＤＶＤは、ピットおよびランドの物理機構を使用して、読み取り可能な現象を生成し、その現象からデータを解釈する。データは、ＤＶＤフォーマット／ロゴライセンシング社（ＤＶＤ  Ｆｏｒｍａｔ／Ｌｏｇｏ  Ｌｉｃｅｎｓｉｎｇ  Ｃｏｒｐｏｒａｔｉｏｎ）によって公布される規格に従って組まれている。その媒体内の情報を表すのに適切ならば、いかなる方法が使用されても良く、またその情報に望ましければ、いかなるフォーマットが使用されても良いことは、明らかであろう。その媒体はどんな形状であっても良く（例えばそれがディスクである必要はない）、様々な方法でその媒体からデータを読み取ることが可能である。例えば、複数のビーム、ホログラフィックのアプローチ等が使用される場合がある。様々な種類のエネルギーが、材料における変化の読み取りまたは生起に使用可能である。例えば、電磁、音響、振動等の種類のエネルギーが使用可能である。
【００２３】
盗難防止システムは、それが盗難を抑制可能である限り、またさもなければいかなる性質の盗難も削減、抑制、または防止するように意図されている限り、いかなる装置、ソフトウェア、ハードウェア、エネルギービーム、命令、またはそれらの組み合わせであっても良い。
【００２４】
作動時において、活性化システム１８は、活性化エネルギービーム３８を発生させる。活性化エネルギービーム３８の特性は、第１の感エネルギー材１４の種類に従って選択される。不透明である初期状態において、第１の感エネルギー材１４は十分に厚く、読み取りレーザビーム３２を遮断または干渉して、読み取りシステム２０が光ディスク１２を読み取るのを防止する。第１の感エネルギー材１４が透明状態にあるとき、読み取りレーザビーム３２は、第１の感エネルギー材１４へ十分浸透し、読み取りシステム２０がトラック２２を読み取ることを有効にすることが可能である。読み取りシステム２０は、ＣＤ‐ＲＯＭドライブやＤＶＤ再生装置等によって実施される場合がある。実際には、活性化システム１８は必要に応じて、活性化エネルギービーム３８を使用して、第１の感エネルギー材１４の透過率を選択的に変化させ、光ディスク１２を活性化させる。
【００２５】
ユーザが活性化システム１８を制御できる。あるいは、活性化システム１８は自動制御される。例えば、購入時にユーザが活性化システム１８を介して光ディスク１２を活性化する場合がある。あるいは、商品販売アウトレットでの光ディスクに対する支払いに応じて、活性化システム１８は、キャッシュレジスタのような他の装置によって自動制御される場合もある。
【００２６】
活性化エネルギービーム３８の特性は、第１の感エネルギー材１４を実施するのに使用される材料の種類に従って選択される。例えば、第１の感エネルギー材１４は、ある波長または強度の光に応じて、活性化、すなわち脱色または透明化される場合がある。第１の感エネルギー材１４を活性化するのに十分望ましい波長および／または強度特性をもつ活性化エネルギービーム３８を、活性化システム１８は発生させる。
【００２７】
ユニロックＵＳＡ（Ｕｎｉｌｏｃ  ＵＳＡ）とヴェリフィケーションテクノロジーズ社（Ｖｅｒｉｆｉｃａｔｉｏｎ  Ｔｅｃｈｎｏｌｏｇｉｅｓ，  Ｉｎｃ．）の共同経営のヴェリロックＬＬＣ（Ｖｅｒｉｌｏｃ  ＬＬＣ）製品ファミリーである染料システム３５１、またはアゾインクのような、様々な種類の染料、インク、または色素によって、第１の感エネルギー材１４は、本発明の範囲を逸脱することなく容易に実施可能である。適当な他の材料としては、容易に入手可能なＣＤ‐ＲおよびＤＶＤ‐Ｒ記録染料が含まれ、その染料はシアニンおよびフタロシアニンアゾ染料を含み、特定の波長および強度での光学劣化に加え、超音波分解に対する反応性をもつ。
【００２８】
スピンコーティング、スパッタコーティング、マスキング等のような１つまたはそれ以上の周知の技術によって、第１の感エネルギー材１４および第２の感エネルギー材１６は光ディスク１２上に配置される場合がある。本開示を閲覧する当業者は、過度の実験を行わずとも、任意の用途の必要性を満たすのに適当な技術を容易に判断できる。
【００２９】
第１の感エネルギー材１４は、光ディスク１２の読み取り面近傍に配置され、抗盗難機構としてふるまい、光ディスク１２が活性化システム１８によって活性化される前に、光ディスクからのコンテンツの再生、複製、または読み取りを防止する。活性化システム１８が第１の感エネルギー材１４を活性化した後、第２の感エネルギー材１６は、読み取りシステム２０の読み取りレーザビーム３２にさらされる場合がある。ここでの説明のために、読み取りシステム２０のようなディスク読み取り装置は、光ディスク１２のようなディスクからの情報にアクセス可能であるどんな装置であっても良いとする。ゆえに、ディスク複製装置およびディスク再生装置は、同様にディスク読み取り装置でもある。
【００３０】
この具体的な実施形態において、以下でより完全に説明されるように、第２の感光材１６は、抗複製材料、すなわち光ディスク１２の複製を防止する材料としてふるまう。あるいは、第２の感光材１６は抗再生または抗読み取り材料としてふるまうこともできて、ディスク１２が真正でないとき場合、ディスク１２からのあるコンテンツの再生または読み取りを防止することができる。
【００３１】
感エネルギー材１６は感光材である。ここでの説明のために、感光材とは、既定の光エネルギーが加えられることにより変化する透明性、反射性、または不透明性のような性質を示すどんな材料であっても良いとする。例えば、この具体的な実施形態において、活性化ビーム３８に代表される光エネルギーは、第１の感光材を不透明（ｎｏｎ‐ｔｒａｎｓｐａｒｅｎｔ  ｏｒ  ｏｐａｑｕｅ）から透明へと変化させる。ある材料に影響を与えるある波長の光エネルギーのような、あるエネルギーに対して、その材料が不透明であると言われるのは、そのエネルギーがその材料に吸収される、またさもなければその材料への透過またはその材料からの反射を妨げられる場合である。ある材料が光エネルギーに対して透明であると言われるのは、その光エネルギーが、実質的に反射、吸収されることなく、その材料を透過できる場合である。
【００３２】
第２の感エネルギー材１６は光学的に透明な材料である。ここでの説明のために、光学的に透明な材料とは、透過率、反射性、屈折性、不透明性、吸収性等のような光学的性質を示すどんな材料も含むものとし、そのような性質は（例えばエネルギーによって）一時的な変化を引き起こす場合がある。同様に、一時的な光学的性質とは、一時的に変化するどんな光学的性質であっても良い。
【００３３】
作動のシナリオの一例においては、光ディスク１２の購入時のように、第１の材料１４が活性化システム１８によって活性化された後に、ユーザが光ディスク１２を読み取りシステム２０へ挿入する。バーストカッティングエリア３６上に記憶されるオーサリングソフトウェアおよびディスクロッキングソフトウェアが、読み取りシステム２０のメモリ３０へ自動的にロードされる。あるいは、読み取りシステム２０は、光ディスク１２からオーサリングソフトウェア２６およびディスクロッキングソフトウェア２８を実行するよう命令される。
【００３４】
ここでの説明のために、オーサリングソフトウェアまたはオーサリング符号とは、データ記憶媒体が装置に挿入される、あるいは読み取りシステム２０のようなデータ記憶媒体を読み取るよう設計される読み取りシステムに接近する場合があると、コンピュータ、またはディスクドライブコントローラ２４内のプロセッサのような他のプロセッサによって実行されるどんな符号であっても良いとする。ディスクロッキングソフトウェアまたは符号は、読み取り装置がデータ記憶媒体を読み取るのを防止できるどんな符号であっても良い。
【００３５】
オーサリングソフトウェア２６はその後、ディスクドライブコントローラ２４に含まれるプロセッサを介すなどして、読み取りシステム２０によって実行される。第２の感エネルギー材１６に対応する／または同材料に隣接するディスク１２の部分からデータを読み取ろうと、読み取りシステムにさせる命令を、オーサリングソフトウェア２６は含む。オーサリングソフトウェア２６は、読み取りシステム２０に、第２の感エネルギー材１６の下のトラック２２の部分を複数回読み取ろうとさせることが可能である。ある回数の読み取り試行の後、読み取りレーザ３２は第２の感エネルギー材１６を脱色し、それにより、第２の感エネルギー材１６の下のトラックにおける異なるデータを感光させることが可能となる。オーサリングソフトウェア２６はその後、異なる読み取り試行毎に読み取りシステム２０によって取得される結果における変化を観察する。もし結果におけるその変化が、真正ディスクから期待されるものと整合するならば、オーサリングソフトウェア２６は、そのディスク１２は認証されたと見なす。真正ディスクに期待されることに関する情報は、オーサリングソフトウェア２６に記憶されることが可能である。あるいはこの情報は、第２の材料１６によって形成されるパターンに記憶されても良い。
【００３６】
第２の感エネルギー材１６に対応するディスク領域を読み取る試行からの結果において、オーサリングソフトウェア２６が適当な変化を認めない場合、その光ディスクは真正であるとは見なされない。オーサリングソフトウェア２６はその後、ディスク１２または読み取りレーザビーム３２の既定の運動を引き起こす場合、またはディスクロッキングソフトウェア２８によって検出される別の挙動を引き起こす場合がある。ディスクロッキングソフトウェア２８はその後ディスク１２をロックし、それによって、不正ディスク１２からのコンテンツの不正再生または複製を防止する。
【００３７】
オーサリングソフトウェア２６は、読み取りシステム２０にファイル間をジャンプさせる命令を含むことができる。その命令は、その命令および第２の感エネルギー材１６の存在を起因とする具体的なヘッドの運動またはドライブスピードの変更を提供する場合がある。運動を予測し、既定の場所において適当な運動が検出されない場合には、読み取りシステム２０をロックする符号を、ディスクロッキングソフトウェア２８は含むことができる。
【００３８】
ユーザが真正ディスクを複製しようとするとき、複製操作の間に生じ得る高速のディスク回転速度は、第２の感エネルギー材１６を既定の仕方で変化させることが可能である。この変化によって、ディスクロッキングソフトウェア２８を発動させる追加のオーサリング符号を感光させることが可能となり、それによって、ディスク１２の高速の複製を防止する。ディスクが低速で複製されるとしても、光ディスク１２上の特定の場所に第２の感エネルギー材１６が存在しなければ、得られるディスクの複製は再生不能になる。
【００３９】
必要なオーサリングソフトウェア２６およびディスクロッキングソフトウェア２８は、本開示を閲覧する当業者によれば、過度の実験を行わずとも、展開可能である。例えば、本発明の範囲を逸脱することなく、既存のディスクロッキングソフトウェアを使用することも可能である。
【００４０】
ゆえに、システム１２は、最初にディスク１２が活性化されない場合、ディスク１２からのコンテンツの再生を抑制することと、光ディスク１２からのコンテンツの高速複製を防止することと、不正光ディスクの再生または複製を防止することとが可能である。このような能力は、第１の材料１４および第２の材料１６をオーサリングソフトウェア２６およびディスクロッキングソフトウェア２８と組み合わせる策略的な使用によって、可能となる。
【００４１】
システム１０のかかるコンポーネントのうち１つまたはそれ以上は、本発明の範囲を逸脱することなく省略可能である。例えば、代替の実施形態において、オーサリングソフトウェア２６およびディスクロッキングソフトウェア２８は省略される。さらに、第１の感エネルギー材１４は第２の感エネルギー材１６に置き換えられ、その場合その第２の感エネルギー材１６は光ディスク１２の読み取り面を覆う。この実施形態において、第２の感エネルギー材１６は、光学的に透明であって、任意の時間内にその材料の任意の領域へ十分な数の光子が衝突すると、透明から不透明へと変化する。１倍速のような低速でのディスク１２の読み取りが第２の感エネルギー材１６を不透明にしないよう、第２の感エネルギー材１６が不透明になるレートは選択される。しかし、光ディスク１２の高速読み取りは、読み取りレーザビーム３２からの十分な光子を第２の感エネルギー材１６に衝突させ、それによりその感エネルギー材１６を黒くさせ、その結果光ディスク１２の高速複製を防止するであろうが、低速でのディスクの再生は可能であろう。低速での光ディスク１２の複製を防止するために、追加の機構が使用される場合がある。
【００４２】
この代替の実施形態は、一時再生（ｔｅｍｐｏｒａｒｙ‐ｐｌａｙ）の用途のような、様々な用途に対して容易に適応される。例えば、第２の感エネルギー材１６が一時的に変化して、光ディスクのさらなる再生を抑制する前に、任意の時間の間隔に既定の回数だけ光ディスクが再生可能であるように、第２の感エネルギー材１６は調節される場合がある。
【００４３】
ゆえに、感エネルギー材１６はそれ自体、既定回数の連続再生を可能にするように適応されることが可能である。あるいは、連続リピート再生などが原因となる、感エネルギー材１６の変化は、ディスクソフトウェアの活性化を引き起こす場合があり、それにより付随の光ディスクのさらなる再生が不能になる。
【００４４】
第１の感エネルギー材１４は、本発明の範囲を逸脱することなく、光エネルギーに影響を受けない別の種類の材料と代替が可能である。例えば、第１の感エネルギー材１４は、超音波または別の種類のエネルギーに影響を受けやすい材料のような、別の種類の感エネルギー材であっても良い。感エネルギー材は、既定エネルギーが加えられることで変化する性質をもつどんな材料であっても良い。
【００４５】
本実施形態は感光材１４、１６を使用しているが、様々な実施形態においては、感光材に代えてまたは加えて、本発明の範囲を逸脱することなく、別の種類の感エネルギー材が使用される場合もある。例えば、あるインクまたは染料は、振動エネルギーおよび／または超音波のような、光エネルギー以外のエネルギーに反応する場合がある。
【００４６】
さらに、感光材１４、１６は不透明か透明かで論じられるが、他のバリエーションも可能であり、例えば準不透明なのだが、読み取りシステム２０の光ディスク１２の読み取りを有効にするのには十分透明である場合などがある。あるいは、１つまたはそれ以上の感光材１４、１６は部分的に反射性をもつ場合もあり、または、活性化されていないと、読み取りレーザシステム２０がトラック２２を読み取ることを無効にする特別な材料を示す場合もある。
【００４７】
図２は、図１のシステム１０の光ディスク１２の断面を示す。この実施形態において、第１の感エネルギー材１４は第２の感エネルギー材１６に重複する。読み取りレーザビーム３８が透過する透明ポリカーボネート層５０の表面上に、両材料１４、１６はコーティングされる。
【００４８】
読み取り面６０と、透明ポリカーボネート層５０と、ピットおよびランドを持ち、透明層５０の上に配置される金属層６２と、アクリルや他のディスクラッカのような様々な材料から作られる場合があるバッキング（ｂａｃｋｉｎｇ）層６４とを、光ディスク１２は含むように示されている。感エネルギー材１４、１６によって形成される層に加え、１つまたはそれ以上のラッカなどの保護層が、読み取り面６０に追加される場合もある。
【００４９】
作動中、活性化システム１８は光ディスク１２に活性化エネルギービーム３８を当て、それによって材料１４を不透明から透明へと変化させることで、第１の感エネルギー材１４を活性化させる。その後に、読み取りシステム２０は読み取りレーザ２０を使用し、ピットおよびランド３４を読み取ろうとする。このピットおよびランド３４は、別々のピット５２とランド５４とを含むように示されている。
【００５０】
読み取りレーザビーム３８が、ある期間継続して第２の感エネルギー材１６に衝突する場合、または任意の間隔にある回数材料１６に衝突する場合、第２の感エネルギー材１６は透明になり、そのため読み取りシステム２０は反射ビーム５６によってピットおよびランド３４を読み取ることができる。
【００５１】
読み取りシステム２０のようなディスクドライブによって第１のレートで光ディスク１２が読み取られるとき、第２の感エネルギー材１６は、不透明性のような第１の光学特性を示していると見なされる場合がある。読み取りシステム２０、すなわちディスクドライブによって第２のレートで光ディスク１２が読み取られる場合には、第２の感エネルギー材１６は、透過率のような第２の光学特性を示す。
【００５２】
第１の光学特性または第２の光学特性に基づいて、光ディスク１２からのデータの読み取りを抑制する１つまたはそれ以上の命令を含むとして、オーサリングソフトウェア２６およびディスクロッキングソフトウェア２８は見なされる場合がある。
【００５３】
感エネルギー材１４、１６は、どのように光ディスクが読み取られるまたは複製されるかということに選択的に影響を与えるために使用される。例えば、ディスクを認証するために、最初の試行ではピットもランドも検知できないことを予測しながらも、読み取りシステム２０はピットおよびランド３４を読み取ろうとする場合がある。第２の感エネルギー材１６が透明になり、ピットおよびランド３４をさらけ出すまで、読み取りシステム２０は、ピットおよびランド３４を複数回読み取ろうとする場合がある。その後に、ディスク１２の挙動に基づいて、またはディスク１２の挙動と、ピットおよびランド３４に符号化された得られる潜在データとの両方に基づいて、読み取りシステム２０にロードされるオーサリングソフトウェアは、ディスク１２が真正であることを確認する。
【００５４】
そうして、光ディスク１２が認証された後、第２の感エネルギー材１６はその元の状態へと戻る。かかる変化は、その光ディスク１２が再認証されることを可能にする。
【００５５】
図３は、図１のシステム１０の代替の実施形態７０を示し、この実施形態は、本発明の第２の実施形態によるディスク７２上の既定の場所において感エネルギー材７６を使用する。図１の光ディスク１２とは違い、図３のディスク７２には第１の感エネルギー材１４が欠如しており、その代わりに、代替の感エネルギー材７６が含まれる。さらに、感エネルギー材７６は、ディスク７２上の異なる場所に配置される。
【００５６】
加えて、以下でより完全に説明するが、ディスク７２の読み取り面近傍に組み込まれる代わりに、感エネルギー材７６は、ディスク７２の透明部７８の後ろのピットおよびランド上または近傍に配置される。図１のオーサリングソフトウェア２６は、図３においては、認証およびロッキングソフトウェア８０に置き換えられている。ディスク７２が読み取りシステム２０へ挿入されると、読み取りシステム２０によって、認証およびロッキングソフトウェア８０はディスク７２から自動的にロードされ、実行される。
【００５７】
認証およびロッキングソフトウェア８０の機能性は、いくつかの例外を除いて、図１のオーサリングソフトウェア２６およびディスクロッキングソフトウェア２８と同様である。認証およびロッキングソフトウェア８０は、感エネルギー材７６の場所に対応する異なる場所を読み取るように適応される。さらに、ソフトウェア８０は、感エネルギー材７６自体におけるパターンを読み取るように適応される。そのパターンは、トラック２２と、付随のパターン化された感エネルギー材７６との組み合わせから得られる。また、ソフトウェア８０は、感エネルギー材７６が透明になる場合には、トラック２２に潜在するデータを読み取るように適応される。様々なパターンが異なる種類の情報を表す場合がある。ゆえに、ディスク７２のある領域が異なる種類の情報を含むことが可能であり、その内のいくつかは、感エネルギー材におけるパターンおよび／または感エネルギー材７６によって示される性質に記憶または保存される。例えば、感エネルギー材７６は、異なる一時的な光学的性質をもつ様々な副領域を含むことができる。これらの性質の違いは、パターン化され、必要な情報を与える。
【００５８】
ある動作シナリオにおいては、感エネルギー材７６は、読み取りシステム２０によって最初に読み込まれる場合にエラーを引き起こすように構成され、また、感エネルギー材に対応する領域の既定回数の読み取りの後、有効なデータを提供するように構成される。エラー状態から有効状態への変化は、認証およびロッキングソフトウェア８０によってディスク７２を認証するのに使用可能である。あるいは、感エネルギー材７６に対応する領域から読み取られるデータは、最初有効であり、その後無効へと変化する場合、またはそのデータは最初有効であり、有効データの別の組へと変化する場合がある。これらの変化は、任意の用途の必要性を満たすよう調節される。
【００５９】
ここでの説明のため、認証する（ａｕｔｈｅｎｔｉｃａｔｅ）という言葉は、ある情報を正当であるとして検証することを意味する場合がある。例えば、ディスク７２のような、あるディスクを認証する場合、ディスク７２上に配置される既定の感エネルギー材７６の存在により影響を受ける情報などのような情報を、システム７０は検証する。この情報は、認証およびロッキングソフトウェア８０に対し、ディスク７２が真正ディスクであるか否かを示す。ディスク７２が真正である、すなわち認証される場合、認証およびロッキングソフトウェア８０は、読み取りシステム２０がディスク７２を再生することを許可するが、ディスク７２を複製することは許可しない。あるいは、感エネルギー材７６の挙動、および感エネルギー材７６に対応する領域に関連するデータに応じて、認証およびロッキングソフトウェア８０は、再生または複製以外の異なる機能および機能性を選択的に有効または無効にする。
【００６０】
認証およびロッキングソフトウェア８０のようなオーサリング符号は、読み取りシステム２０の読み取りレーザ３２に、光ディスク７２の既定の領域７６から読み取らせるための命令を含むことが可能であり、この光ディスク７２上または内に材料７６が配置するように意図されている。また、上記符号は、材料７６が光ディスク７２上または内の既定の領域に配置されている場合に、第１の信号を提供するための命令を含むことが可能である。また、上記符号は、材料７６が光ディスク７６上または内の既定の領域に配置されない場合に、第２の信号を提供するための命令を含むことが可能である。
【００６１】
第１の信号に応じて光ディスク７２の再生を有効にするような第１の挙動を、および第２の信号に応じて光ディスク７２の再生を防止するような第２の挙動を、読み取りシステム２０に示させるように、読み取りシステム２０のコントローラ２４は適応される。
【００６２】
光ディスク７２上に記憶されるファイルの間で読み取りレーザ３２がスキップすること、または光ディスク７２を既定のレートで回転させることを、第１の挙動は含むことができる。認証およびロッキングソフトウェア８０に含まれるディスクロッキング符号は、第２の挙動の検出に応じて、光ディスク７２をロックする命令を含むことができる。ある光ディスクがロックされていると言われるのは、付随の読み取りシステムがその光ディスクを読み取ることが防止されている場合である。
【００６３】
光学的一時性感エネルギー材は、その中で符号化される情報を含む場合がある。ある実施形態において、その情報は、ディスク読み取りシステム２０を有効にするように適応される。ある実施形態において、その情報はディスク読み取りシステム２０を有効にするように適応され、この読み取りシステム２０は、ディスク再生装置および／または複製装置としてもふるまい、光ディスクからのコンテンツを再生するように適応され、光ディスク７２からのコンテンツの複製を防止するように適応される。
【００６４】
システム７０は、光ディスク７２の読み取り、再生、または複製を選択的に有効化するためのシステムと見なされる場合がある。この場合、光ディスク７２上または内の既定の領域７６を観察し、ある材料７６の存在を検証し、それに応じて信号を提供するための第１の機構２０、３０を、システム７０は含む。第２の機構は、その信号に応じて、光ディスクの読み取り、再生、または複製を選択的に防止する。
【００６５】
認証およびロッキングソフトウェア８０によって、光ディスクが真正ではないと判定される場合に、光ディスク７２内または上に記憶されるデータの１つまたはそれ以上の部分の使用を制限するための１つまたはそれ以上の命令を、認証およびロッキングソフトウェア８０はさらに含むことができる。使用を制限するためのこの命令は、データの１つまたはそれ以上の部分の複製または再生を防止するための命令を含むことができる。
【００６６】
感エネルギー材７６は、染料システム３４９の製品ファミリーのうちの１つによって、実現されることが可能である。その染料システム３４９の製品ファミリーは、ユニロックＵＳＡ（Ｕｎｉｌｏｃ  ＵＳＡ）とヴェリフィケーションテクノロジーズ社（Ｖｅｒｉｆｉｃａｔｉｏｎ  Ｔｅｃｈｎｏｌｏｇｉｅｓ，  Ｉｎｃ．）の共同経営のヴェリロックＬＬＣ（Ｖｅｒｉｌｏｃ  ＬＬＣ）から入手可能である。染料システム３４９の適当な染料は、例えば以下のようにして作ることが可能である。
１．以下の成分を混合し、一晩置く：ヒドロキシエチルメタクリレート（ｈｙｄｒｏｘｙｅｔｈｙｌｍｅｔｈａｃｒｙｌａｔｅ：ＨＥＭＡ）またはポリメチルメタクリレート（ｐｏｌｙｍｅｔｈｙｌｍｅｔｈａｃｒｙｌａｔｅ：ＰＭＭＡ）３６．４、メトキシプロパノール２３０ｍｌ、ビストリス７．５グラム、メチレンブルー染料３．７５グラム。
２．得られた混合物を１．５ｍｍ真空濾過によって前濾過（ｐｒｅ‐ｆｉｌｔｅｒｉｎｇ）する。
３．得られた混合物を、デュラポア（Ｄｕｒａｐｏｒｅ）０．２２μｍフィルタの上に１．５ｍｍフィルタを置くサンドイッチシステムを用いて濾過する。
【００６７】
以上のステップにおいて、ステップの修正、追加、削除があったとしても、なお適当な材料が製造可能であることは明らかであろう。
【００６８】
図３のディスク７２は、第１の感エネルギー材および付随の活性化システムを欠いて示されているが、かかる欠損要素は、本発明の範囲を逸脱することなく、図３の実施形態に含まれることも可能である。
【００６９】
図４は、図３の光ディスク７０の断面を示しており、一時的な光学特性をもつ感エネルギー材が、ディスク７０のピットを覆って選択的に配置され、それにより、ディスクピットおよびランド３４が付随の読み取りシステムによって読み取られる方法に影響を与える。
【００７０】
光学的一時性感エネルギー材７６は、例えばスパッタコーティングによって、透明ポリカーボネート層５０上に成膜され、この透明ポリカーボネート層５０は、ピットおよびランド３４を示すようにパターン化されている。その後に、金属層７２が、感エネルギー材７６に成膜、コーティング、またさもなければ拡散される。次に、アクリルラッカのような保護ラッカ６４が金属層６２上に塗布される。
【００７１】
作動中、読み取りシステムからの読み取りレーザビーム３８は、光学的一時性感エネルギー材７６の透明性または他の光学的性質に、一時的な変化を引き起こす。この一時的変化は、ディスク７２から読み取りシステム２０に自動的にロードされるソフトウェアによって、ディスク７２を認証することと、再生可能性のようなある機能性を選択的に有効または無効にすることとに使用される。
【００７２】
ここで説明する実施形態は、ディスクコンテンツの再生を選択的に有効にすることと、ディスクコンテンツの複製を無効にすることとに第一に使用されるが、他の実施形態もあり得る。例えば、ここで開示する原理は、本発明の範囲を逸脱することなく、ディスク７２上に記憶されるソフトウェアの機能など、他の機能を制御するのにも使用可能である。
【００７３】
光学的一時性感エネルギー材７６は、本実施形態において最初不透明であり、その後読み取りレーザ３８への既定の暴露に応じて、一時的に透明になる。しかし、光学的一時性感エネルギー材７６が最初透明であって、その後読み取りレーザ３８にある程度暴露されて、一時的に不透明になる場合もあるのだが、かかる場合も本発明の範囲を逸脱するものではない。
【００７４】
さらに、本発明の範囲を逸脱することなく、図１〜２および図３〜４の実施形態を様々な方法で組み合わせる場合もある。例えば、光学的一時性材料７６はディスク７２の入力面６０に配置される場合があり、またある用途においては、図１の第１の感エネルギー材１４は金属層６２に隣接して配置される場合もある。
【００７５】
図５は、本発明の第３の実施形態による第３の光ディスク９２の断面を示しており、付随の光学的一時性感エネルギー材９６が、第３の光ディスク９２のピットおよびランド３４を覆って、既定のパターンで配置されている。
【００７６】
第３のディスク９２は第１の感エネルギー材１４を含み、その第１の感エネルギー材１４は、金属層６２の反対の透明ポリカーボネート材５０側にスピンコーティングされている。活性化システム１８は、付随のエネルギービーム３８を使用して、第１の感エネルギー材１４を活性化し、材料１４を不透明な初期状態から透明状態へと変化させる。
【００７７】
ディスク９２の活性化後、読み取りシステム２０は、読み取りレーザビーム３８を使用して、ピットおよびランド３４を読み取ろうとする場合がある。しかし、策略的に配置される光学的一時性感エネルギー材９６の存在は、読み取りシステム２０にまずはデータの第１組を読み取らせ、光学的一時性感エネルギー材９６が読み取りレーザ３８によって脱色、すなわち透明にされた後、続けてデータの第２組を読み取らせる。データの第１組を読み取る場合に、感エネルギー材９６の不透明性により、読み取りシステム２０にはランドがピットであるように見える場合がある。あるいは、光学的一時性感エネルギー材９６は銅色の反射性金属であり、それによりピットが最初ランドのように見える。
【００７８】
読み取りシステム２０によってディスク９２の同じ領域から読み取られるデータの違いは、読み取りシステム２０にロードされるソフトウェアによって使用され、ディスク認証や再生可能性等を促進する。
【００７９】
選択的に成膜される光学的一時性材料９６は、ディスク９２の製造の間に、塗布可能である。フォトレジストを使用する従来のマスキング処理または他の技術が、光学的一時性材料９６の成膜に使用される。
【００８０】
光学的一時性感エネルギー材９６によって示されるパターンは、ピットおよびランド構造３４によって形成される潜在データの読み取られ方に変化をもたらす場合がある。その潜在データはソフトウェアを表す場合がある。この場合、光学的一時性感エネルギー材９６の策略的な使用により、既定の量および／または種類のエネルギーが材料９６に加えられると、ディスク９２から読み取られるソフトウェアに一時的な変化が起こる。この実施形態において、ソフトウェアに一時的な変化を引き起こす既定の量および／または種類のエネルギーは、読み取りレーザビーム３８によって与えられる。ゆえに、材料９６は、ピットまたはランドの読み取り性質を時間とともに変化させることに使用可能な性質をもつ。
【００８１】
感エネルギー材９６の選択的な配置から得られるパターンに、追加の情報が記憶可能であり、一般的にその追加の情報は、光ディスクのピットおよびランドを読み取って複製することによってのみデータを複製するように適応されるディスク複製装置によっては、第２のディスクへ複製可能ではない。
【００８２】
本発明の様々な実施形態においては、材料１４および９６のような様々な感エネルギー材が、最後のラッカ保護コーティングが塗布される前に、スピンコーティングで順に塗布されることが可能であるということに留意されたい。これらの材料は、スピンコーティングで併せて塗布される場合、金属層の前にスパッタコーティングで塗布される場合、外側のラッカコーティングの前にスパッタコーティングで塗布される場合、メタライゼーション間にスパッタコーティングで塗布される場合、フォトマスキングを用いたスパッタコーティングで策略的に配置される場合、リードインおよび／またはディスクバーストカッティング領域にフォトマスクを施すことにより配置される場合等もある。当業者は、任意の用途の必要性を満たすために、かかる材料をどこに、どのようにして塗布すれば良いかわかっているであろう。
【００８３】
本開示を閲覧する当業者は、過度の実験をせずとも、ここで開示される様々な実施形態を容易に製造すること、または製造した様々な実施形態を配列することが容易に可能である。
【００８４】
図６は、図１〜４の実施形態の使用に適応される第１の方法１００の流れ図を示す。この方法１００は第１のステップ１０２を含み、このステップで光ディスクが光ディスクドライブに挿入される。
【００８５】
第２のステップ１０４において、光ディスクに含まれる符号が、ディスクドライブに、光ディスク上の既定の領域を読み取るように自動的に命令し、それにより、第１の結果が得られる。この場所は、例えば図３の光学的一時性感エネルギー材７６に対応する場所である場合がある。
【００８６】
第３のステップ１０６において、上記符号は、光ディスクドライブに、既定の領域を追加で１回またはそれ以上の回数読み取るように命令し、その後この領域が読み取られると、第２の結果が得られる。
【００８７】
第４のステップ１０８は、第１の結果と第２の結果とを比較することと、それに応じて信号を提供することとを含む。上記符号はその信号を使用して、ディスクのある使用法または機能性を選択的に有効または無効にする。ここでの説明のために、あるディスクの機能性（ｆｕｎｃｔｉｏｎａｌｉｔｙ）という言葉は、そのディスクに関連するどんな能力または機能であっても良いとする。機能性の例としては、再生および複製の能力および機能と、ディスクに含まれるソフトウェア機能によって提供される能力とが含まれる。
【００８８】
図７は、図１〜４の実施形態の使用に適応される第２の方法１２０の流れ図を示す。この第２の方法１２０は第１のステップ１２２を含み、このステップでデータの第１組が光ディスクのピット機構によって符号化される。読み取りシステムの読み取りレーザが、データの第１組を読み取ろうとするために使用可能である。
【００８９】
第２のステップ１２４において、第１の材料がディスク上または内部に配置される。既定の周波数および継続時間をもつ超音波またはレーザ光などの第１の既定エネルギーに応じて、第１の材料は透明性を恒久的に変化させる。
【００９０】
第３のステップ１２６において、第２の材料がディスク上または内部に配置される。特定の継続時間および／または周波数をもつ読み取りレーザからの光などの第２の既定エネルギーに応じて、第２の材料は透明性を一時的に変化させる。第２の材料の透明性の変化は、読み取りシステムに対するデータの第１組のアクセス可能性に影響を与える。
【００９１】
読み取りシステムに対するデータの第１組のアクセス可能性に基づいて、光ディスクに関連する既定の機能性を有効または無効にするための符号を実行することを、第４のステップ１２８は含む。
【００９２】
図６および図７の方法１００、１２０の各種のステップは、本発明の範囲を逸脱することなく、交換または省略可能である。例えば、図７の方法１２０の第２のステップ１２４
は、ある実施形態においては省略される場合もある。
【００９３】
再生可能性などの光ディスクの機能性に影響を与えるためのシステムに第一に関連して、ここで実施形態を説明してきたが、本発明はかかる実施形態に限定はされない。例えば、本発明の実施形態は、本発明の範囲を逸脱することなく、他の種類の記憶媒体に適応可能である。一般的に、本発明の実施形態による記憶媒体の機能性に選択的に影響を与えるために、追加の材料を仮想的にいかなる電気的または光学的データ記憶媒体に対しても加えることが可能である。ここでの説明のために、データ記憶媒体とは、情報を記憶可能ないかなる媒体、材料、またはデバイスであっても良いものとする。
【００９４】
本発明の実施形態として選択される材料によっては、光活性化は恒久的であり、不可逆である場合がある。ある用途においては、不可逆インクが好ましく、一方レンタルの用途など他の用途においては、可逆インクが好ましい場合がある。あるインクまたは材料の透明性は、既定のエネルギーが加えられることで、元に戻ることが可能である。
【００９５】
適当な染料、色素、または他の材料を活性化するための的確な方法には、例えばその材料を特定の周波数の電磁エネルギーに対し透明または不透明にすることなどがあり、かかる方法は一般的に用途固有である。活性化は、外部の光源、振動システム、超音波システム等のような外部ソースによって実施可能である。一般的に、必要な材料活性化時間もまた用途固有である。しかし、ここで開示する実施形態においては、活性化時間は一般的に１分未満である。
【００９６】
ＣＤやＤＶＤのような様々な光学製品の販売者に対し、本発明の様々な実施形態が重要な能力および機能を提供可能である。このような能力および機能は、販売の瞬間における単純で信頼性のある１回の活性化を含むことができる。ただし、２４時間直射日光にさらされても、光学デバイスは活性化されないであろう。また、１分未満の活性化時間と、スタック化またはレイヤードディスクのような光学デバイスを複数連続で活性化することと、製品ケースを含む製品梱包を通した活性化とを、上記能力および機能は含む。また、上記能力および機能は、コスト面で効率的に実現可能である。また、上記能力および機能は、リバースエンジニアリングが困難である可能性があり、また付随の光学デバイスのパフォーマンスを長期間劣化させないことが可能である。
【００９７】
当業者は、過度の実験をせずとも、適当な材料および関連する活性化装置を構築し、その材料の化学的性質を選択的に変化させて、透明性に影響を与えることが可能である。材料の化学的性質に変化を誘起するための従来のシステムが、本発明の実施形態と併せて使用されることに適応される場合もあるが、かかる場合も本発明の範囲を逸脱するものではない。
【００９８】
光ディスクまたは他のデバイスの盗難、または他の不正使用を、防止または阻止するための、光ディスクの一回活性化、一時的活性化、および認証に第一に関連して、ここで開示するある実施形態を説明してきたのだが、本発明はかかる実施形態に限定されるものではない。例えば、異なる材料またはその組み合わせを使用して、任意の感エネルギー層に対して複数の状態変化を有効にすることが可能であり、それによって、光学デバイスまたは他のデータ記憶媒体に対して複数回活性化および不活性化が可能となる。光学デバイスが活性化と不活性化とを繰り返す必要がある可能性があるところの、レンタルの用途またはサンプリングの用途においては、複数回活性化および不活性化が特に重要である。
【００９９】
光学デバイスの盗難または関連するコンテンツの不正複製を抑制するためのシステムおよび方法に関して、本発明のある実施形態を説明しているが、他の用途および機能もあり得る。ここで説明する本発明の様々な実施形態は、単に説明的なものであり、限定的なものではない。例えば、磁気ディスクまたは他種のデータ記憶媒体上に記憶されるコンテンツの著作権侵害を阻止するのにも、本開示による感エネルギー材が使用可能である。
【０１００】
本発明の処理は、読み取りシステム２０のような単一の装置上で実行されるソフトウェアのような、単一の統一体として提示される場合があるが、このようなソフトウェアは複数の装置上でも容易に実行可能である。つまり、単一のプログラムが２つまたはそれ以上のプロセッサ上で実行されている場合、単一のプログラムの部分が異なる物理的装置上で実行されている場合等、任意のソフトウェアプログラムには複数の場合があり得るものである。
【０１０１】
ここでの説明においては、本発明の実施形態の完全な理解を提供するために、コンポーネントおよび／または方法の例のような具体的な細部を数多く提供する。しかし本発明の実施形態は、１つまたはそれ以上の上記具体的な細部がなくとも実現可能なものであり、または本発明の実施形態は、他の装置、システム、アセンブリ、方法、コンポーネント、材料、パーツ、および／またはそれらの類似物を用いても実現可能であるということを、当業者は認識するであろう。他の場合においては、本発明の実施形態の側面を分かりにくくすること避けるために、周知の構造、材料、または動作について具体的に示す、または詳細に説明することは行わないものとする。
【０１０２】
本発明の実施形態のために、「ｍａｃｈｉｎｅ‐ｒｅａｄａｂｌｅ  ｍｅｄｉｕｍ（装置読み取り可能媒体）」または「ｃｏｍｐｕｔｅｒ‐ｒｅａｄａｂｌｅ  ｍｅｄｉｕｍ（コンピュータ読み取り可能媒体）」とは、命令実行システム、装置、システムまたはデバイスによる、または関する使用ためのプログラムを含む、記憶する、通信する、伝播させる、または輸送することが可能であるいかなる媒体であっても良いものとする。コンピュータ読み取り媒体は、電気、磁気、光学、電磁気、赤外線、または半導体を利用するシステム、装置、システム、デバイス、伝播媒体、またはコンピュータメモリである場合があるが、以上は単なる例であって、上記媒体を限定するものではない。
【０１０３】
「ｐｒｏｃｅｓｓｏｒ（プロセッサ）」または「ｐｒｏｃｅｓｓ（処理）」は、いかなる人為性と、ハードウェアおよび／またはソフトウェアシステムと、データまたは信号または他の情報を処理する機構またはコンポーネントとを含む。汎用中央処理装置、または複数の処理装置、または機能性を獲得するための専用回路、または他のシステムをもつシステムを、プロセッサは含む場合がある。処理は、地理的な場所（ｇｅｏｇｒａｐｈｉｃ  ｌｏｃａｔｉｏｎ）に限定される必要、または一時的な限定をもつ必要はない。例えばプロセッサは、「リアルタイム（ｒｅａｌ  ｔｉｍｅ）」、「オフライン（ｏｆｆｌｉｎｅ）」、「バッチモード（ｂａｔｃｈ  ｍｏｄｅ）」等でその機能を行う場合がある。処理の部分は、異なる時間および異なる場所において、異なる（または同じ）処理システムによって実行可能である。コンピュータは、メモリと通信しているどんなプロセッサであっても良い。
【０１０４】
この明細書にわたり、「ｏｎｅ  ｅｍｂｏｄｉｍｅｎｔ（ある実施形態）」、「ｏｎｅ  ｅｍｂｏｄｉｍｅｎｔ（ある実施形態）」、または「ａ  ｓｐｅｃｉｆｉｃ  ｅｍｂｏｄｉｍｅｎｔ（ある具体的な実施形態）」と言及した場合は、かかる実施形態に関連して説明する特定の機能、構造、または特性は、本発明の実施形態の少なくとも１つに含まれるが、必ずしも全部の実施形態に含まれる必要はないということを意味する。このように、本明細書にわたり、いたるところで「ｉｎ  ｏｎｅ  ｅｍｂｏｄｉｍｅｎｔ（ある実施形態において）」、「ｉｎ  ａｎ  ｅｍｂｏｄｉｍｅｎｔ（ある実施形態において）」、または「ｉｎ  ａ  ｓｐｅｃｉｆｉｃ  ｅｍｂｏｄｉｍｅｎｔ（ある具体的な実施形態において）」というフレーズが現れる場合は、それぞれ、必ずしも同じ実施形態を参照しているわけではない。さらに、本発明のいずれの具体的な実施形態の特定の機能、構造、または特性も、何か適当な方法で、１つまたはそれ以上の他の実施形態と組み合わされることが可能である。ここで説明し、図示する本発明の実施形態の他の変更および修正が、ここでの開示に照らして可能であり、上記変更および修正は、本発明の範囲および意図の一部として見なされるものであるということが了解されるであろう。
【０１０５】
加えて、図面の中の矢印はいずれも、単なる一例であって、限定的なものではないと見なされるべきであり、それ以外の場合にはその旨明確に表示してある。さらに、ここで使用される「ｏｒ（または）」という言葉は、一般的に「ａｎｄ／ｏｒ（および／または）」を意味するよう意図しており、それ以外の場合にはその旨指示してある。コンポーネントまたはステップの組み合わせも、記されているとおりに見なされるものとし、ここで分離または結合する能力の表現が不明確である場合には、専門用語の存在が予想される。
【０１０６】
ここでの詳細な説明、および特許請求の範囲にわたって使用されるとおり、「ａ」、「ａｎ」、および「ｔｈｅ」は、複数の参照を含み、それ以外の場合にはその旨文脈上で明確に指示してある。さらに、ここでの詳細な説明、および特許請求の範囲にわたって使用されるとおり、「ｉｎ」の意味は、「ｉｎ」および「ｏｎ」を含み、それ以外の場合にはその旨文脈上で明確に指示してある。
【０１０７】
要約、技術分野、発明の名称、発明の開示において記述されるものを含む、前述の本発明を実施するための最良の形態における説明は、包括的であるように意図するものではなく、ここで開示する精密な形態に本発明を限定するように意図するものでもない。当業者が認識および了解するとおり、本発明の具体的な実施形態および実施例は、説明のためだけにここで記述されるものであって、本発明の範囲および意図の中で、様々な均等な修正が可能である。指示するとおり、前述の本発明を実施するための最良の形態の説明に照らして、本発明がかかる修正が行われる場合があるが、それも本発明の範囲および意図のうちに含まれるであろう。
【０１０８】
このように、本発明をその特定の実施形態に関連して説明してきたのであるが、前述の開示においては、修正に対するある程度の自由度、様々な変更および置換を意図しており、いくつかの場合において、前述の本発明の範囲および意図を逸脱することなく、対応する他の機能を使用せずに、本発明の実施形態のいくつかの機能が使用されるということが了解されるであろう。したがって、本発明の本質的な範囲および意図に対し、特定の状況または材質を適応させるために、多くの修正が可能である。本発明は、特許請求の範囲において使用される特定の言葉に、および／または本発明を実施するための最良の形態として開示される特定の実施形態に限定されるものではないということを意図しており、また本発明は、添付の特許請求の範囲内に収まるいずれかのおよび全部の実施形態および均等物を含むということを意図している。
【図面の簡単な説明】
【０１０９】
【図１】図１は、２つの感エネルギー材を使用する本発明の第１の実施形態による光ディスクの不正使用を選択的に抑制するためのシステムを示す。
【図２】図２は、図１の光ディスクの断面を示す。
【図３】図３は、図１のシステムの代替の実施形態を示し、そのシステムは、本発明の第２の実施形態によるディスク上の既定の場所に感エネルギー材を使用している。
【図４】図４は、図３の光ディスクの断面を示し、その場合、一時的な光学的性質をもつ感エネルギー材が、光ディスクのピットを覆って選択的に配置されており、そのため、付随の読み取り装置によるピットの読み取られ方に影響を与えている。
【図５】図５は、光ディスクの断面を示し、付随の感エネルギー材が、本発明の第３の実施形態による光ディスクの光ディスクのピットおよびランドを覆って既定のパターンで配置されている。
【図６】図６は、図１〜４の実施形態を用いる使用に適応される第１の方法の流れ図を示す。
【図７】図７は、図１〜４の実施形態を用いる使用に適応される第２の方法の流れ図を示す。
【図１】
2009506473.tif 000003
【図２】
2009506473.tif 000004
【図３】
2009506473.tif 000005
【図４】
2009506473.tif 000006
【図５】
2009506473.tif 000007
【図６】
2009506473.tif 000008
【図７】
2009506473.tif 000009
【国際調査報告】
2009506473.tif 000010